(57)【要約】【課題】建築物の部品の拾い出し作業において、屋根面の立体図を簡単に作成することができる建築物の部品拾い出しシステムを提供する。【解決手段】建築物の建築プランを記憶する記憶部４００と、建築プランに基づいて建築物の部品の部品図を作成する部品図作成部であるとともに、建築プランおよび部品図に基づき部品を設定する部品設定部である制御部１００とを備え、制御部１００は、入力部２００の入力操作で作成された建築物の桁に基づいて建築物の屋根面の立体図を作成する。【選択図】図１
2008282184.tif 000002
【特許請求の範囲】
【請求項１】
建築物の建築プランを記憶する記憶部と、
前記建築プランに基づいて前記建築物の部品の部品図を作成する部品図作成部と、
前記建築プランおよび前記部品図に基づき前記部品を設定する部品設定部と、
を備えた建築物の部品拾い出しシステムであって、
前記部品図作成部は、前記建築物の桁に基づいて前記建築物の屋根面の立体図を作成すること
を特徴とする建築物の部品拾い出しシステム。
【請求項２】
前記部品図作成部は、選択された前記建築物の前記桁に対し、あらかじめ選択された屋根形状で前記屋根面の立体図を作成することを特徴とする請求項１に記載の建築物の部品拾い出しシステム。
【発明の詳細な説明】
【技術分野】
【０００１】
本発明は、建築物の建築に必要な部品の拾い出し作業を行う建築物の部品拾い出しシステムに関するものである。
【背景技術】
【０００２】
一般に、建築物を建築する際、建築メーカにより建築物の設計が行われた後に、建築資材メーカの担当者は、建築メーカから受け取った間取図等の図面を参照し、自社が担当する部位の平面図を描いて、自社が担当する部位にどのような部品がどの程度の数量必要なのかを認識し、部品の選定作業（拾い出し作業）を実施している（特許文献１）。
【０００３】
また、この部品の拾い出し作業を精度良く行うために、コンピュータを用いた作図方法、すなわちＣＡＤ（Ｃｏｍｐｕｔｅｒ  Ａｉｄｅｄ  Ｄｅｓｉｇｎ）を利用した作図方法を用いて部品の選定作業を行う装置が提案されている（特許文献２）
【特許文献１】特開平６−１４９９４７号公報
【特許文献２】特開２００５−５６２４８公報
【発明の開示】
【発明が解決しようとする課題】
【０００４】
しかしながら、上述したＣＡＤを用いた作図方法では、線を繋げて平面図を描画するため、描画作業量が多く、作業効率が悪い、といった問題点があった。特に、複雑な形状を有する場合のある屋根については、屋根を構成する部品の平面図を作成するにあたり、まず屋根伏せ図を参照しながら屋根面の立体図を描画する必要があり、多大な作業工数を要していた。
【０００５】
本発明は、建築物の部品の拾い出し作業において、桁を作成し選択することで屋根面の立体図を自動的に生成することができる建築物の部品拾い出しシステムを提供することを課題としている。
【課題を解決するための手段】
【０００６】
上記目的を達成するために、請求項１に記載された発明は、建築物の建築プランを記憶する記憶部と、前記建築プランに基づいて前記建築物の部品の部品図を作成する部品図作成部と、前記建築プランおよび前記部品図に基づき前記部品を設定する部品設定部と、
を備えた建築物の部品拾い出しシステムであって、前記部品図作成部は、前記建築物の桁に基づいて前記建築物の屋根面の立体図を作成することを特徴としている。
【０００７】
また、請求項２に記載された発明は、請求項１において、前記部品図作成部は、選択された前記建築物の前記桁に対し、あらかじめ選択された屋根形状で前記屋根面の立体図を作成することを特徴としている。
【発明の効果】
【０００８】
このように構成された請求項１に記載された発明は、桁に基づいて、あらかじめ選択した形状の屋根面の立体図が自動的に作成され、屋根面の立体図を作成する工数を大幅に削減することができる。
【０００９】
また、請求項２に記載された発明は、あらかじめ選択した任意の形状の屋根面の立体図を作成することができる。
【発明を実施するための最良の形態】
【００１０】
次に、図１から図１２に基づいて、本発明を実施するための最良の実施の形態の建築物の部品の拾い出しシステムについて説明する。
【００１１】
図１は、本発明に係る建築物の部品拾い出しシステムの一実施形態を示すブロック図である。
【００１２】
建築物の部品拾い出しシステム１０は、制御部１００、入力部２００、表示部３００、記憶部４００、記憶媒体４１０、一時記憶部５００により構成されている。
【００１３】
制御部１００は、記憶媒体４１０から読み込まれ記憶部４００の記憶領域に格納される各種プログラムやデータ、入力部２００から入力される各種指示を一時記憶部５００に格納し、プログラムに従ってそれらの指示やデータに応じた処理を実行し、その処理結果を一時記憶部５００に一時的に記憶するとともに、表示部３００に出力する。
【００１４】
また制御部１００は、入力部２００からの指示入力に基づいて部品の平面図を作成し、この平面図に記載された屋根、天井、床、壁等の建築構成要素に対して、一時記憶部５００に格納された高さ情報、仕上情報および建具情報等を属性情報として設定する処理を実行する。入力部２００からの指示入力に基づく部品の平面図の作成については、例えば入力部２００で表示部３００の座標を２点指示し、２点間を結ぶ直線を生成する等、一般的なＣＡＤを用いることで行う。このＣＡＤについては公知の技術であるため、説明は省略する。
【００１５】
また制御部１００は、入力部２００からの指示入力に基づいて屋根面の立体図を作成する。この屋根面の立体図の作成方法については後述する。
【００１６】
入力部２００は、キーボードやいわゆるマウス等のポインティングデバイスにより構成され、指示入力信号を制御部１００に対して出力する。
【００１７】
表示部３００は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等により構成され、制御部１００から出力される部品の平面図、屋根面の立体図、各種データ等を表示する。
【００１８】
記憶部４００は、磁気的、光学的記録媒体、若しくは半導体メモリで構成された記憶媒体４１０からプログラムやデータ等を読み込み、自身が備えた記憶領域に格納する。また、制御部１００から出力されたデータ等を、記憶媒体４１０に記憶させる。記憶媒体４１０は、記憶部４００に固定的に設けたもの、または着脱自在に装着するものである。
【００１９】
一時記憶部５００は、制御部１００により実行される各種処理プログラムや、その処理に係るデータを一時的に記憶する記憶領域を備えている。
【００２０】
上記制御部１００、入力部２００、表示部３００、一時記憶部５００が、請求項における部品図作成部および部品設定部に相当する。
【００２１】
次に、本実施形態における、屋根面の立体図の作成方法について説明を行う。
【００２２】
図２は、本実施形態における部品の拾い出し作業に伴う部品の平面図の作成作業のフローを示すフローチャートである。
【００２３】
ステップＳ１０１では、対象とする部品の平面図が作成される。ここで、屋根は通常３次元の立体であるため、屋根を構成する部品の平面図を作成する場合は、高さ方向を考慮した屋根面の立体図を作成し、その立体図に基づいて平面図を作成する必要がある。本実施形態では、この屋根面の立体図を簡単に作成することができる。屋根面の立体図の作成については、後述する。この後に、フローはステップＳ１０２へ移行する。
【００２４】
ステップＳ１０２では、平面図が作成された部品に対し、その実寸や材料等を指示して部品を決定する部品の設定処理が行われる。作成された平面図の画面上の寸法と実際の寸法との比率はあらかじめ一時記憶部５００に記憶されており、または記憶媒体４１０から読み込まれて記憶部４００に格納されており、部品図が作成されるとその部品の実寸が自動的に算出される。また、各部品の高さ情報、仕上情報、建具情報等の属性情報は、あらかじめ一時記憶部５００に記憶されており、または記憶媒体４１０から読み込まれて記憶部４００に格納されており、制御部１００により表示部３００に表示される部品設定メニュー（図示省略）により、作成された部品に対して任意に選択することができる。このような部品の設定処理は公知の技術であるため、詳細な説明は省略する。この後に、フローはステップＳ１０３へ移行する。
【００２５】
ステップＳ１０３で、一つの部品に対する部品の拾い出し作業は終了する。他に部品の拾い出し作業が必要な部品があれば、ステップＳ１０１、ステップＳ１０２の処理を繰り返せばよい。
【００２６】
図３は、本実施形態における屋根面の立体図の作成作業のフローを示すフローチャートである。また、図５〜図７は屋根面の立体図の描画状態例を示す図である。
【００２７】
ステップＳ２０１では、屋根の桁が作成される。操作者は、表示部３００に表示される図を見ながら、入力部２００を操作して桁を作成する。図５に、作成された桁の一例を示す。この後に、フローはステップＳ２０２へ移行する。
【００２８】
ステップＳ２０２では、作成する屋根に属する桁を選択する。桁の選択には、操作者と制御部１００とのインターフェースとなる操作画面（図６下図参照）が表示され、操作者は操作画面のメニューに従って操作を行う。なお、このようなインターフェースについては、コンピュータプログラムを利用する際の一般的な方法であるため、詳細な説明は省略する。図６上図に、選択された桁の一例を示す。この後に、フローはステップＳ２０３へ移行する。
【００２９】
ステップＳ２０３では、選択された桁に対し、あらかじめ操作画面で選択した形状の屋根面が生成される。図７は、あらかじめ操作画面で寄棟形状を選択し、ステップＳ２０２で選択した桁に対して作成された屋根面の平面図を示している。この後に、フローはステップＳ２０４へ移行する。
【００３０】
ステップＳ２０４では、生成した屋根面に追加（合成）する屋根面の有無の判定が行われる。屋根面が一つの形状で構成されている場合、すなわち、例えば図７のように合成する屋根面がない場合は、フローはステップＳ２０６へ移行する。一方、屋根面が複数の形状で構成されている場合、すなわち、例えば図１２のように追加する屋根面がある場合は、フローはステップＳ２０５へ移行する。
【００３１】
ステップＳ２０５では、後述する屋根面の合成処理（後述）が行われる。この後に、フローはステップＳ２０６へ移行する。
【００３２】
ステップＳ２０６で、屋根面の立体図の作成作業は終了する。
【００３３】
次に、図４、図８〜図１２に基づいて、屋根面の合成処理についての説明を行う。図４は、本実施形態における屋根面の合成処理作業のフローを示すフローチャートである。また、図８〜図１２は屋根面の立体図の描画状態例を示す図である。
【００３４】
ステップＳ３０１では、既に生成された屋根面に対して新しい屋根面を合成する部分を選択する。図８にこの様子を示す。この後に、フローはステップＳ３０２へ移行する。
【００３５】
ステップＳ３０２では、屋根の桁が作成される。操作者は、表示部３００に表示される図を見ながら、ステップＳ３０１で選択した部分において、入力部２００を操作して桁を作成する。図９に、作成された桁の一例を示す。この後に、フローはステップＳ３０３へ移行する。
【００３６】
ステップＳ３０３では、作成する屋根に属する桁を選択する。図１０にこの様子を示す。この後に、フローはステップＳ３０４移行する。
【００３７】
ステップＳ３０４では、既に生成された屋根面に新しい屋根面を追加して変更する変更の指示が行われる。図１１にこの様子を示す。この後に、フローはステップＳ３０５へ移行する。
【００３８】
ステップＳ３０５では、選択された桁に対し、あらかじめ操作画面で選択した形状の屋根面が生成される。図１２は、あらかじめ操作画面で切妻形状を選択し、ステップＳ３０３で選定した桁に対して生成された屋根面の平面図を示している。この後に、フローはステップＳ３０６へ移行する。
【００３９】
ステップＳ３０６で、屋根面の立体図の作成作業は終了する。
【００４０】
図１３に、作成された屋根面の立体図を示す。
【００４１】
以上のように、本発明の実施形態においては、桁を作成し選択することで、あらかじめ選択した形状の屋根面の立体図が自動的に作成され、屋根面の立体図を作成する工数を大幅に削減することができる。
【００４２】
以上、図面を参照して、本発明の実施の形態を詳述してきたが、具体的な構成は、この実施の形態に限らず、本発明の要旨を逸脱しない程度の設計的変更は、本発明に含まれる。
【００４３】
例えば、ブロック図は図１に示すものに限定されるものではなく、実施形態と同等の動作を行うものであれば良い。
【００４４】
また、実施形態においては、入力装置としてマウスを例に説明を行ったが、マウスに限定されるものではなく、いわゆるトラックボールやトラックパッド等、他のポインティングデバイスであっても良い。
【図面の簡単な説明】
【００４５】
【図１】本発明の実施形態におけるブロック図である。
【図２】本発明の実施形態の部品の拾い出し作業の基本動作を示すフローチャートである。
【図３】本発明の実施形態における屋根面の立体図の作成処理のフローチャートである。
【図４】本発明の実施形態における屋根面の合成処理のフローチャートである。
【図５】本発明の実施形態における屋根面の立体図の作成処理の説明図である。
【図６】本発明の実施形態における屋根面の立体図の作成処理の他の説明図である。
【図７】本発明の実施形態における屋根面の立体図の作成処理の他の説明図である。
【図８】本発明の実施形態における屋根面の立体図の合成処理の説明図である。
【図９】本発明の実施形態における屋根面の立体図の合成処理の他の説明図である。
【図１０】本発明の実施形態における屋根面の立体図の合成処理の他の説明図である。
【図１１】本発明の実施形態における屋根面の立体図の合成処理の他の説明図である。
【図１２】本発明の実施形態における屋根面の立体図の合成処理の他の説明図である。
【図１３】本発明の実施形態における屋根面の立体図の例である。
【符号の説明】
【００４６】
１００  制御部
２００  入力部
３００  表示部
４００  記憶部
４１０  記憶媒体
５００  一時記憶部
【図１】
2008282184.tif 000003
【図２】
2008282184.tif 000004
【図３】
2008282184.tif 000005
【図４】
2008282184.tif 000006
【図５】
2008282184.tif 000007
【図６】
2008282184.tif 000008
【図７】
2008282184.tif 000009
【図８】
2008282184.tif 000010
【図９】
2008282184.tif 000011
【図１０】
2008282184.tif 000012
【図１１】
2008282184.tif 000013
【図１２】
2008282184.tif 000014
【図１３】
2008282184.tif 000015